(57)【要約】【課題】    文献１に記載された電動マッサージ器は、モーターの回転軸に偏心ローター取り付けて微振動を発生させ、振動体を体に押し当ててその部位を振動させる作用があるのみである。振動の深さは微量であり、大きく振幅を取れる出退動作機能がない。人手による壺押しマッサージの様な出退動作による揉みの作用を得ることは出来ない。携帯式の電動マッサージ器は、振動体を体に押し当ててその部位が振動する作用のみで、出退動作による揉みの作用を得ることは出来ない。【解決手段】  モーターと、モーターの回転軸に取り付けられた偏心部材と、前記回転軸を移動中心とし、前記偏心部材の外側に設けられて偏心部材の回転により移動する移動体と、移動体に接して出退動作に変換する部材と、から構成されている。【選択図】  図１
2011224112.tif 000002
【特許請求の範囲】
【請求項１】
モーターと、モーターの回転軸に取り付けられた偏心部材と、
前記回転軸を移動中心とし、前記偏心部材の外側に設けられて偏心部材の回転により移動する移動体と、前記移動体に接して出退動作に変換する部材と、から構成されていることを特徴とするマッサージ器。
【請求項２】
モーターと、モーターの回転軸に取り付けられた偏心部材と、
先端に吐出口を持つキャップと、前記吐出口を塞ぐ移動体と、前記移動体を出退させる弾性材と、前記弾性材を固定する保持部材、とから構成されていることを特徴とするマッサージ器。
【請求項３】
貯液部と、前記移動体に連設した導液手段を設け、前記貯液部の液剤を前記導液により吐出することを特徴とする請求項１に記載のマッサージ器。
【請求項４】
前記移動体が、球形で先端が吐出口から突出していることを特徴とする請求項２に記載のマッサージ器。
【発明の詳細な説明】
【技術分野】
【０００１】
本発明は、モーターで出退動作をするマッサージ器に関する。
【背景技術】
【０００２】
小型のマッサージ器には様々なものがあるが、その一つに振動タイプの電動マッサージ器がある。例えば文献１には、円筒状のケース内に乾電池と振動モーターを備えた電動マッサージ器が紹介されている。この様な電動マッサージ器は、振動体を体に押し当てることにより、その部位を振動させてマッサージ効果を得るようにしたものである。
【０００３】
また、文献２の様に、美容のために液剤を抽出しながら振動マッサージが出来るものが提案されている。
【先行技術文献】
【特許文献】
【０００４】
【特許文献１】特開２００４−３５８０８８号公報
【特許文献２】特開２００５−４０４３８号公報
【発明の概要】
【発明が解決しようとする課題】
【０００５】
文献１に記載された電動マッサージ器は、モーターの回転軸に偏心ローター取り付けて微振動を発生させ、振動体を体に押し当ててその部位を振動させる作用があるのみである。
振動の深さは微量であり、大きく振幅を取れる出退動作機能がない。
人手による壺押しマッサージの様な出退動作による揉みの作用を得ることは出来ない。
【０００６】
文献２に記載された美容型の電動マッサージ器は、キャップ型の振動する先端部に液剤を抽出するための液剤抽出口が設けられているが、開閉機構が無い為に液剤が出っぱなしや体に押し当てると止まる等の欠点がある。
本発明は、振動体がと出退動作をすることで以上の問題点を解決するためになされたものである。
【課題を解決するための手段】
【０００７】
本発明に係るマッサージ器は請求項１に記載のように、
モーターと、モーターの回転軸に取り付けられた偏心部材と、
前記回転軸を移動中心とし、前記偏心部材の外側に設けられて偏心部材の回転により移動する移動体と、前記移動体に接して出退動作に変換する部材と、から構成されていることを特徴とする。
【０００８】
また、請求項２に記載のように、
モーターと、モーターの回転軸に取り付けられた偏心部材と、
先端に吐出口を持つキャップと、前記吐出口を塞ぐ移動体と、前記移動体を出退させる弾性材と、前記弾性材を固定する保持部材、とから構成されていることを特徴とする。
【０００９】
また、請求項３に記載のように、
貯液部と、前記移動体に連設した導液手段を設け、前記貯液部の液剤を前記導液手段により吐出することを特徴とする。
【００１０】
また、請求項４に記載のように、
前記移動体が、球形で先端が吐出口から突出していることを特徴とする。
【発明の効果】
【００１１】
請求項１による発明の効果を説明する。
モーターによる偏心部材の回転が移動体を動かし、移動体に接して出退動作に変換する部材で移動体が出退動作を行う。
出退動作により振動しながら体を叩き、揉みマッサージ効果を発揮出来る。
【００１２】
請求項２による発明の効果を説明する。
キャップの吐出口を移動体が塞いでおり液剤が漏れることがない。
また、前記移動体を出退させる弾性材を装備している。
移動体を押し当てると後退し、吐出口と移動体の間の隙間が生じる。
キャップは脱着可能であり、内部には好みの液剤が注入されているので、隙間から液剤が吐出される。
液剤が出っぱなしや体に押し当てると止まる等の欠点が解消出来る。
【００１３】
請求項３による発明の効果を説明する。
前記移動体に連設した導液手段を設けて前記貯液部の液剤を前記導液手段により吐出する。
モーターの回転により、移動体は上下動作（出退動作）を繰り返す。
導液手段の先端を体に当てると液剤を出しながら揉みマッサージが出来る。
【００１４】
請求項４による発明の効果を説明する。
前記移動体が、球形で先端が吐出口から突出している。
体に押しあてながら移動させると回転して裏側の液剤に塗布された面が外側に回転して体に塗布出来る。
【図面の簡単な説明】
【００１５】
【図１】実施の形態１に係る携帯式のマッサージ器１００を示す側面断面図である。
【図２】図１に示した携帯式のマッサージ具のＡ−Ａ方向からのＡ−Ａにおける断面図である。
【図３】図２からｔ１秒後の編心ローターの移動状態図である。
【図４】図３からｔ２秒後の編心ローターの移動状態図である。
【図５】図４からｔ３秒後の編心ローターの移動状態図である。
【図６】図５からｔ４秒後の編心ローターの最下部への移動状態図である。
【図７】実施の形態２に係る美容型マッサージ器２００を示す側面断面図である。
【図８】図７に示した美容型マッサージ具の左側面図である。
【図９】図７に示した美容型マッサージ具の体に押し当てた状態図である。
【図１０】実施の形態３に係る美容型マッサージ器３００を示す側面断面図である。
【図１１】図１０に示した美容型マッサージ器のＢ−Ｂ方向からのＢ−Ｂにおける断面図である。
【発明を実施するための形態】
【００１６】
（実施の形態１）
図１は、この発明における携帯式のマッサージ器１００を示す側面断面図である。
図２は、図１に示した携帯式のマッサージ具のＡ−Ａ方向からのＡ−Ａにおけ
る断面図である。
この携帯式のマッサージ具１００は、マッサージ具の本体１と、この本体１の内部に装備された乾電池２と、振動モーター３と、前記振動モーター３の回転軸に偏心部材としての偏心ローター７が取り付けられている。
【００１７】
図２では、振動モーター３の回転軸に偏心ローター７が嵌合しており、その外側に前記回転軸を移動中心とする矩形の振動移動体６を備えている。
また、この振動移動体６に接して回転を出退動作に変換するガイド４が両辺に設けてある。
振動移動体６の先端には打撃突起５がある。
【００１８】
図２の状態は、偏心ローター７の長径側が最上部側に回転した時の偏心ローター７の移動状態図であり、振動移動体６が最上部にある。
振動移動体６は長方形であり、出退方向のガイド４に接する側を短辺として、短辺の長さは、振動モーター３の回転軸中心と偏心ローター７の長径側端部までの距離の回転半径より大きく、その２倍長さまでの範囲に設定される。
また、ガイド４とガイド４の間側を長辺として、長辺の長さは、前記回転半径の２倍以上の長さがある。
偏心ローター７の回転により、偏心ローター７の長径側が振動移動体６の長辺側に接触して出退動作を行う。
振動移動体６の移動量は、偏心ローター７の長径の長さによって決まり、長径を適切に設定することにより人手による壺押しマッサージの様な振幅の大きい優れたマッサージ効果を得ることが出来る。
【００１９】
次に、この携帯式のマッサージ器１００の動作について説明する。
振動モーター３の先端の偏心ローター７が回転することにより、その周囲に
振動を与えることが出来るので、本体１に付属して設けられた振動突起８や打
撃突起５も振動する。
【００２０】
図２に於いては、偏心ローター７が回転することにより偏心ローター７の長径側が外側の振動移動体６の上部側の長辺に接して回転させようとするが、ガ
イド４により回転せずにガイド４に沿って上昇して振動移動体６が最上部に達する。
【００２１】
振動移動体６が最上部に達した後に偏心ローター７が回転すると、偏心ロー
ター７の長径側は外側の振動移動体６の上部側の長辺と接触しなくなるが、振動移動体６は、振動移動体６の短辺とガイド４の接触部は抵抗の為に静止する。
偏心ローター７は、図３、図４の様に回転を続けるが、振動移動体６は静止したままである。
【００２２】
更に偏心ローター７が回転すると、図５のように偏心ローター７の長径側が振動移動体６の下部側の長辺に接して回転させようとするが、ガイド４により回転せずにガイド４に沿って振動移動体６が下降する。
回転を続ける偏心ローター７が振動移動体６の下部側の長辺に接して下降を続け、図６の様に振動移動体６が最下部に達する。
【００２３】
上記の様に偏心ローター７の回転により、振動移動体６は上下動作（出退動作）を繰り返す。
振動移動体６の先端には打撃突起５があり、ガイド４に沿った出退動作により振動しながら体を叩き、揉みマッサージ効果を発揮出来る。
【００２４】
以上、この発明の携帯式のマッサージ具１００では、例えば外出時の車内で
出退運動する打撃突起５を体に当てることで壺叩きのマッサージを行うことができる。
また、振動突起８側を体に当てることで振動式のマッサージも行える。
【００２５】
（実施の形態２）
図７は、実施の形態２に係る美容型マッサージ器を示す側面断面図である。
図８は、図７に示した美容型マッサージ器の左側面図である。
図９は、図７に示した美容型マッサージ器の体に押し当てた状態図である。
この美容型マッサージ器２００は、マッサージ具の本体１と、この本体１の内部に設けられた乾電池２と、振動モーター３と、前記振動モーター３の回転
軸に結合した偏心部材としての偏心ローター７から構成されている。
また、前方には、本体１に脱着可能なキャップ９があり、前記キャップ９の内部には、球形の振動移動体ｂ１２を出退させる弾性材としてのスプリング１１があり、スプリング１１を固定する保持部材１０が設けられている。
また、前記キャップ９の先端には吐出口１３があるが、内部の振動移動体ｂ
１２によって内側から押さえられ塞がっている。
振動移動体ｂ１２の先端は吐出口１３から外側に突出している。
【００２６】
次に、この美容型マッサージ器２００の動作について説明する。
振動モーター３の先端の偏心ローター７が回転することにより、その周囲に振動を与えることが出来るので、本体１の前方にあるキャップ９や振動移動体ｂ１２も振動する。
【００２７】
図９に示す様にキャップ９の先端を体にあてると、吐出口１３から突出している振動移動体ｂ１２が体に接する。
振動移動体ｂ１２を体に当てることで振動式のマッサージが行える。
スプリング１１の押し圧以上の力で移動体ｂ１２を押し当てると、移動体ｂ１２が後退し、吐出口１３と振動移動体ｂ１２の間の隙間が生じる。
キャップ９は本体１から脱着可能であり、内部には好みの液剤が注入されているので、隙間から液剤が吐出される。
移動体ｂ１２は球形であり、押し当てる力により移動体ｂ１２が出退することで隙間の大きさが変わり液剤の吐出量も変わる。
また、移動体ｂ１２は球形であるので、押しあてながら移動させると回転して裏側の液剤を体表面に塗布出来る。
【００２８】
以上、この発明の美容型マッサージ器２００では、美容のために液剤を吐出口１３から抽出しながら振動マッサージが出来る。
キャップ９の先端の振動移動体ｂ１２を体に当てると振動マッサージが出来、
振動移動体ｂ１２を強く押して液剤を塗りながらマッサージが出来る。
押し当てる力を加減することで吐出口１３から液剤の吐出量を調整出来る。
押し当てる力が弱いと、吐出口１３は内部の振動移動体ｂ１２によって内側から押さえら塞がっているので液剤が漏れることが無い。
また、移動体ｂ１２は球形であるので、押しあてながら移動させると回転して裏側の液剤に塗布された面が外側に回転して体に塗布出来る。
【００２９】
（実施の形態３）
図１０は、実施の形態３に係る美容型マッサージ器を示す側面断面図である。
図１１は、図１０に示した美容型マッサージ具のＢ−Ｂ方向からのＢ−Ｂにおける断面図である。
この美容型マッサージ器３００は、マッサージ具の本体１と、この本体１の内
部に設けられた乾電池２と、振動モーター３と、前記振動モーター３の回転軸に偏心部材としての偏心ローター７が取り付けられている。
また、この振動移動体６に接して回転を出退動作に変換するガイド４が両辺
に設けてある。
【００３０】
また、前方には、本体１に貯液部としての脱着可能なボトルキャップ１６があり、美容のための液剤は、前記ボトルキャップ１６から、伸縮チューブ１５を通し、導液手段としての導液管１４へ吐出する。
また、前記ボトルキャップ１６の先端に空気弁１７を回すことで空気が流入して液剤の吐出量を調整出来る。
【００３１】
以上、この発明の美容型マッサージ具３００では、
偏心ローター７の回転により、振動移動体６は上下動作（出退動作）を繰り返す。
振動移動体６に連設して導液管１４があり、導液管１４が、ガイド４に沿った出退動作により振動しながら体を叩き、壺押しマッサージ効果を発揮する。
導液管１４の先端を体に当てると振動マッサージが出来、空気弁１７を回すことで液剤の吐出量を調整出来て、美容のために液剤を抽出しながら振動マッサージが出来る。
【符号の説明】
【００３２】
１００  実施の形態１における携帯式のマッサージ器
２００  実施の形態２における美容型のマッサージ器
３００  実施の形態３における美容型のマッサージ器
１  本体
２  乾電池
３  振動モーター
４  ガイド
５  打撃突起
６  振動移動体
７  偏心ローター
８  振動突起
９  キャップ
１０  保持部材
１１  スプリング
１２  振動移動体ｂ
１３  吐出口
１４  導液管
１５  伸縮チューブ
１６  ボトルキャップ
１７  空気弁
【図１】
2011224112.tif 000003
【図２】
2011224112.tif 000004
【図３】
2011224112.tif 000005
【図４】
2011224112.tif 000006
【図５】
2011224112.tif 000007
【図６】
2011224112.tif 000008
【図７】
2011224112.tif 000009
【図８】
2011224112.tif 000010
【図９】
2011224112.tif 000011
【図１０】
2011224112.tif 000012
【図１１】
2011224112.tif 000013